(57)【要約】【課題】  本発明は、羽毛、あるいは羊毛パットにより掛け布団の衿首部分のみを挟み込むことによって厚みを増すことを可能とする掛け布団用衿パットを提供することを目的とするものである。【解決手段】  本発明の掛け布団用衿パット１は、内部に羽毛、あるいは羊毛などの詰め物２が装填されたパット３と、このパット３の各辺に取付けられる連結用紐部４とから構成され、掛け布団の衿首部分を挟んだ状態で取り付けことによって襟元の保温を高めるものである。【選択図】        図１
2006191943.tif 000002
【特許請求の範囲】
【請求項１】
内部に保温として詰め物が装填され、かつ掛け布団の衿首部分を挟む幅および長さを有するパットと、
前記パットの各辺に前期掛け布団との取付け手段を備える
ことを特徴とする掛け布団用衿パット。
【請求項２】
前記パットが、掛け布団の下側面から衿首部分を挟むことができる長さとした
ことを特徴とする請求項１記載の掛け布団用衿パット。
【請求項３】
前記詰め物を羽毛とした
ことを特徴とする請求項１または２記載の掛け布団用衿パット。
【発明の詳細な説明】
【技術分野】
【０００１】
本発明は、掛け布団用襟パットに関する。詳しくは薄くなった掛け布団の襟元に厚みを持たせる、あるいは襟元の保温をよくするための掛け布団用襟パットに係るものである。
【背景技術】
【０００２】
現在、羽毛や羊毛布団は軽量かつ、保温性が高いために綿布団に比べて需要が増加しているのが現状である。これら羽毛や羊毛の掛布団は、最初のうちは掛布団の四辺に羽毛や羊毛が行きわたり充分な厚みを保持しているが、特に襟元付近では使用するにつれて除々に薄くなり、襟元付近に隙間が出来やすくなり保温が充分に保たれ難くなる問題があった。
【０００３】
そこで厚みを保つために例えば図６に示すような発明がある。この発明は、厚手裏地１０１の起毛の面１０２を下にして、掛け布団カバー１０３の下側に固定する。その裏地の上端と下端で、厚手裏地衿部１０４および裾袋部１０５を作る。また、側方は、カバーの縁から離して掛け布団カバー１０３に固定し、厚手裏地自由部１０６を作る。さらに、裾袋部１０５の下側に綿などの普通の布を袋状または１枚布を縫いつけ、固定布１０７として設ける（特許文献１参照。）。
【０００４】
【特許文献１】実開平７−４３３１３号公報（実施例、第１図）
【発明の開示】
【発明が解決しようとする課題】
【０００５】
しかしながら前述の発明では、掛け布団カバーの下面に厚手裏地を取付けるものであるが、掛け布団との二重構造となるために重量が増し、羽毛や羊毛などの掛け布団本来の軽量感が無くなる。また、寒く感じるのは掛け布団の衿元部分が薄くなることで、敷き布団との間に隙間が生じ易くなることと首周囲の保温効果が薄れることであり、単に掛け布団カバー下側に厚手裏地を取付ける従来の構成では掛け布団の衿元部分の厚みを増すことにはならない。
【０００６】
さらに、前述の発明では毛布を必要とする季節においては毛布がずれないことによる効果を奏するが、春や秋など毛布を必要としない季節にあっては活用することができない問題がある。
【０００７】
本発明は、以上の点に鑑みて創案されたものであって、羽毛、あるいは羊毛パットにより掛け布団の衿首部分のみを挟み込むことによって厚みを増すことを可能とする掛け布団用衿パットを提供することを目的とするものである。
【課題を解決するための手段】
【０００８】
上記の目的を達成するために、本発明に係る掛け布団用衿パットは、内部に保温として詰め物が装填され、かつ掛け布団の衿首部分を挟む幅および長さを有するパットと、前記パットの各辺に前期掛け布団との取付け手段を備える。
【０００９】
ここで、薄くなった掛け布団の衿首部分を羽毛、あるいは羊毛などの詰め物が装填されたパットによって挟んだ状態で取付けることによって、厚みを保持することが可能となり、襟元が暖かく、敷き布団との隙間を防ぐので、冷たい風が布団の中に入りにくくなる。
【００１０】
また、掛け布団の下側から衿首を挟んだ状態でパットを取付けることによって掛け布団としての厚みを増すことができ、より一層の保温効果を高めることが可能となる。
【発明の効果】
【００１１】
以上述べてきたように本発明に係る掛け布団用衿パットは、薄くなった掛け布団の衿首部分を、羽毛、あるいは羊毛からなるパットによって挟んだ状態で取り付けることによって衿首部分の厚みが増すことで首周囲の隙間を防ぎ、保温を維持することが可能となる。
また、寒い時期では通常の掛け布団の襟首部分に掛け布団用衿パットを取付けることで、より一層の保温性を増すことが可能となる。
【００１２】
また、パットを取付けた状態で布団カバーによって掛け布団を収納することで見た目によく、さらに押入れへの出し入れが通常の掛け布団と同様に行うことが可能となる。
【発明を実施するための最良の形態】
【００１３】
以下、本発明の実施の形態を図面を参酌しながら説明し、本発明の理解に供する。
図１は、本発明を適用した掛け布団用衿パットの一例を示す説明図、図２は、図１
における断面説明図である。
【００１４】
ここで示す掛け布団用衿パット１は、内部に羽毛、あるいは羊毛などの詰め物２が装填されたパット３と、このパット３の各辺に取付けられる連結用紐部４とから構成されるものである。
【００１５】
ここで前記パット３は、羽毛、羊毛、あるいは綿などの掛け布団と略同じ幅を有し、かつ掛け布団の衿首部分を挟める長さを有するものである。また、パット３の厚さは薄くなった掛け布団の衿首部分を挟んだ場合に、他の部分より若干厚めとなる程度の厚さとすることが望ましい。
【００１６】
そこで図３に示すように、掛け布団５の各辺には布団カバー取り付け用環部６が適宜個所に取付けられている。そして掛け布団５の衿首部分７をパット３によって挟んだ状態でパット３の各辺に取付けられる連結用紐部４を掛け布団５の布団カバー取り付け用環部６に通して結ぶことによって掛け布団用衿パット１の取り付けを行うものである。
【００１７】
このようにして掛け布団５にパット３を取り付けた後に、図４に示すように布団カバー８によって掛け布団５の収納を行う。
【００１８】
次に図５は、本発明を適用した掛け布団用衿パットの他の例を示す説明図であり、パット３は、掛け布団５の下側面を覆い、かつ掛け布団５の衿首部分７を挟めることができる長さとする。
【００１９】
ここで、掛け布団５の下側にパット３を各辺に取付けられる連結用紐部４を掛け布団５の布団カバー取り付け用環部６に通して結び、更にパット３の衿首側を折り曲げて掛け布団５の衿首部分７を挟んだ状態で取り付けた後に、布団カバー８によって掛け布団５の収納を行うものである。
【００２０】
これにより掛け布団５全体の厚みを増すとともに、襟首部分の厚みを保持することができることにより、長い時間使用したことにより全体的に薄くなった掛け布団に対して一層の効果を得ることが可能となる。
【００２１】
なお、パットの取り付け手段としては必ずしも掛け布団に設けられる布団カバー取り付け用環部と連結用紐部との結び付けである必要性は無く、例えばスナップボタンや面状テープなど容易に取付けられるものであればいかなる取り付け機構であっても構わない。
【００２２】
以上の構成よりなる本発明では、掛け布団の衿首部分を掛け布団用衿パットによって挟んだ状態で取付けることにより、掛け布団の衿側が厚みを増すことが可能となる。
【００２３】
したがって襟元が暖かく、敷き布団との隙間を防ぐので、冷たい風が布団の中に入りにくくなった。また、掛け布団と掛け布団用衿パットが一体となり、かつ布団カバーにより収納することで見た目がよく、通常の掛け布団と殆ど変わらないために客用や旅館などの業務用として活用することが可能となる。
【図面の簡単な説明】
【００２４】
【図１】本発明を適用した掛け布団用衿パットの一例を示す斜視図である。
【図２】図１における断面説明図である。
【図３】本発明を適用した掛け布団用衿パットを掛け布団に装着した状態を示す斜視図である。
【図４】図３において布団カバーを取付けた状態を示す断面説明図である。
【図５】本発明を適用した掛け布団用衿パットの他の例を示す断面説明図である。
【図６】従来の布団カバーの一例を示す説明図である。
【符号の説明】
【００２５】
１    掛け布団用衿パット
２    詰め物
３    パット
４    連結用紐部
５    掛け布団
６    布団カバー取り付け用環部
７    衿首部分
８    布団カバー
【図１】
2006191943.tif 000003
【図２】
2006191943.tif 000004
【図３】
2006191943.tif 000005
【図４】
2006191943.tif 000006
【図５】
2006191943.tif 000007
【図６】
2006191943.tif 000008